(57)【要約】【課題】床を支持するＣ型鋼よりなる根太に対してダイナミックダンパを設置するに際して、重量床衝撃音をより効果的に低減することができるようにした床構造を提供する。【解決手段】床を支持するＣ型鋼よりなる第１〜第６根太１１〜１６に対して、第１及び第２ダイナミックダンパＤ１、Ｄ２を抱き合わせた状態で次のように設置する。第１〜第６根太１１〜１６の長手方向の中央位置に一列状に設置する。第１〜第６根太１１〜１６の並び方向において両外側に配置された２本の梁１ｂ、２ｄから該２本の梁１ｂ、２ｄ間の距離の１／４となる距離を隔てた位置に最も近い位置に配置された２本の第２及び第５根太１２、１５には、それらの長手方向に沿ってそれぞれ３箇所に設置する。【選択図】図１
2007177569.tif 000002
【特許請求の範囲】
【請求項１】
矩形に組まれた梁の内側に互いに距離を隔てて並列状に配置されて前記梁と共に上階の床を支持するＣ型鋼よりなる複数本の根太に対して、マス部材と該マス部材を弾性支持するばね部材とからなる複数個のダイナミックダンパが設置されている床構造であって、
前記ダイナミックダンパは、各前記根太の長手方向の中央位置に設置されているとともに、前記根太の並び方向において両外側に配置された２本の梁から該２本の梁間の距離の１／４となる距離を隔てた位置に最も近い位置に配置された根太には、該根太の長手方向に沿ってそれぞれ複数箇所に設置されていることを特徴とする床構造。
【請求項２】
前記ダイナミックダンパの１箇所の設置箇所には、共振周波数が異なる複数のダイナミックダンパが設置されている請求項１に記載の床構造。
【請求項３】
前記ダイナミックダンパは、共振周波数が４５Ｈｚ〜５５Ｈｚの範囲にチューニングされたものと、５５Ｈｚ〜６５Ｈｚの範囲にチューニングされたものが設置されている請求項２に記載の床構造。
【請求項４】
前記ダイナミックダンパは、前記Ｃ型鋼のウエブに取付けられている請求項１〜３の何れか１項に記載の床構造。
【発明の詳細な説明】
【技術分野】
【０００１】
本発明は、例えば一般住宅や集合住宅（アパート、マンション）等の建築構造物の床構造に関する。
【背景技術】
【０００２】
一般住宅等においては、床に飛び跳ねや踏み台からの降下等による衝撃が加わると振動が発生し、その振動が不快音や不快震動等の原因となることから問題となる。特に、複数階建ての戸建住宅や集合住宅等においては、居室や廊下の床に発生する振動や衝撃音が下階に直接的に伝播されるため、下階の住人にとっては甚だしい騒音となる場合がある。
【０００３】
そこで、一般住宅等の床に発生する振動や衝撃音を抑制するために、従来より種々の対策が講じられており、例えば特許文献１〜６に開示されているように、質量体として機能するマス部材と該マス部材を弾性支持しばねとして機能するばね部材とからなるダイナミックダンパを設置して遮音性能の向上を図るようにした床構造が知られている。特許文献１〜３には、コンクリート系住宅の床（スラブ）に対してダイナミックダンパを設置することにより、床に発生する振動や衝撃音を低減する方法が提案されている。また、特許文献４〜６には、一般住宅等の建築構造物において床を支持する梁や根太等の床支持部材に対してダイナミックダンパを設置することにより、床に発生する振動や衝撃音を低減する方法が提案されている。
【０００４】
このダイナミックダンパは、振動入力によって床や床支持部材が特定の周波数で振動するときに、床や床支持部材に対してマス部材がばね部材のばね作用を介して共振することにより、床や床支持部材の振動を減衰させて抑制することができる。なお、ダイナミックダンパの共振周波数は、マス部材の質量とばね部材のばね定数とによって基本的に定まり、低減すべき振動や衝撃音の周波数に合わせてチューニングされる。
【０００５】
ところで、床の遮音性能を向上させる方策として、床重量を重くする方法が有効であることから、高質量で高剛性の軽量気泡コンクリート（ＡＬＣ）製の床パネルを床材として採用し、この床パネルを支持する梁や根太あるいは柱を鋼材で構成した鉄骨系住宅が増加している。このような鉄骨系住宅においても、上記のダイナミックダンパを梁や根太あるいは床パネル等に設置することによって、重量床衝撃音（６３Ｈｚ帯域）を低減することが可能である。
【０００６】
しかし、重量床衝撃音をより効果的に低減できるようにするためには、床が振動するときの振動モードを考慮したり、ダイナミックダンパの設置箇所のバランスや重量効率等を考慮して工夫が必要となる。
【特許文献１】特開昭６２−１７０６５８号公報
【特許文献２】特開平２−２７２１３８号公報
【特許文献３】特開平３−２６０２４５号公報
【特許文献４】特開２０００−３５５９９４号公報
【特許文献５】特開２００３−２７８４０９号公報
【特許文献６】特開２００４−３２８０号公報
【発明の開示】
【発明が解決しようとする課題】
【０００７】
本発明は上記実状に鑑みてなされたものであり、床を支持するＣ型鋼よりなる根太に対してダイナミックダンパを設置するに際して、重量床衝撃音をより効果的に低減することができるようにした床構造を提供することを解決すべき課題とするものである。
【課題を解決するための手段】
【０００８】
上記課題を解決する本発明は、矩形に組まれた梁の内側に互いに距離を隔てて並列状に配置されて前記梁と共に上階の床を支持するＣ型鋼よりなる複数本の根太に対して、マス部材と該マス部材を弾性支持するばね部材とからなる複数個のダイナミックダンパが設置されている床構造であって、前記ダイナミックダンパは、各前記根太の長手方向の中央位置に設置されているとともに、前記根太の並び方向において両外側に配置された２本の梁から該２本の梁間の距離の１／４となる距離を隔てた位置に最も近い位置に配置された根太には、該根太の長手方向に沿ってそれぞれ複数箇所に設置されていることを特徴としている。
【０００９】
本発明の床構造では、Ｃ型鋼よりなる各根太の長手方向の中央位置にダイナミックダンパが設置されていることにより、根太の並び方向においてダイナミックダンパが一列状に設置されている。また、根太の並び方向において両外側に配置された２本の梁から該２本の梁間の距離の１／４となる距離を隔てた位置に最も近い位置に配置された根太にはそれぞれ複数箇所にダイナミックダンパが設置されていることにより、根太の長手方向においてダイナミックダンパが二列状に設置されている。
【００１０】
このようにダイナミックダンパが設置された本発明の床構造において、飛び跳ねや踏み台からの下降等による衝撃が加わって床に振動が発生すると、各ダイナミックダンパのマス部材がばね部材のばね作用を介して共振することにより、床や床支持部材の特定の周波数の振動が抑制され、下階の部屋に伝播される放射音が低減される。本発明の床構造においては、上記のようにダイナミックダンパが設置されていることにより、重量床衝撃音をより効果的に低減することが可能となる。
【００１１】
本発明において、ダイナミックダンパ、矩形に組まれた梁の内側に互いに距離を隔てて並列状に配置されて梁と共に上階の床を支持するＣ型鋼よりなる複数本の根太に対して設置される。ダイナミックダンパは、各根太の長手方向中央位置に設置されていることにより、根太の並び方向においては一列状に設置され、所定の２本の根太にはそれぞれ複数箇所に設置されていることにより、根太の長手方向においては二列状に設置されている。なお、ダイナミックダンパが複数箇所に設置される根太は、根太の並び方向において両外側に配置された２本の梁から該２本の梁間の距離の１／４となる距離を隔てた位置に最も近い位置（特定位置）に配置された根太であるが、それに該当する（特定位置から等距離隔てている）根太が複数本ある場合には、何れかの根太を選択してもよく、或いは該当する全ての根太を選択してもよい。
【００１２】
本発明において採用されるダイナミックダンパは、従来より公知の種々のものを採用することができるが、Ｃ型鋼に設置されることを考慮すると、長尺柱状のマス部材と該マス部材の両端を弾性支持する一対のゴム弾性体（ばね部材）を有する一対の弾性支持部材とを備えたタイプのものが好適である。このタイプのものは、設置スペースを容易に確保することができる。また、ダイナミックダンパは、Ｃ型鋼（根太）のフランジ部よりもウエブに取付けるようにする方が好ましく、このようにすれば、より良好なダンパ効果が得られる。
【００１３】
また、ダイナミックダンパの１箇所の設置箇所には、Ｃ型鋼のウエブの両側面に抱き合わせた状態に、或いはＣ型鋼のウエブの一側面に並列状に抱き合わせた状態に、複数のダイナミックダンパを設置するようにしてもよい。このようにする場合、異なる共振周波数にチューニングされた複数のダイナミックダンパを設置するようにしてもよい。例えば、共振周波数が４５Ｈｚ〜５５Ｈｚの範囲にチューニングされたものと、５５Ｈｚ〜６５Ｈｚの範囲にチューニングされたものとを設置することにより、重量床衝撃音（６３Ｈｚ帯域）をより効果的に低減することが可能となる。
【発明の効果】
【００１４】
本発明の床構造によれば、ダイナミックダンパは、各根太の長手方向の中央位置に設置されているとともに、根太の並び方向において両外側に配置された２本の梁から該２本の梁間の距離の１／４となる距離を隔てた位置に最も近い位置に配置された根太には、該根太の長手方向に沿ってそれぞれ複数箇所に設置されているため、重量床衝撃音をより効果的に低減することができる。具体的には、重量床衝撃音のΔ５ｄＢ以上の低減効果を達成することができる。
【発明を実施するための最良の形態】
【００１５】
以下、本発明の実施形態を図面に基づいて説明する。
〔実施形態１〕
図１は本実施形態に係る床構造において上階の床を下階側から見たときのダイナミックダンパの設置箇所を模式的に示す説明図である。
【００１６】
本実施形態の床構造は、図１に示すように、複数階建ての鉄骨系住宅において、上階の一つの部屋を区画する矩形の床を支持するＣ型鋼よりなる６本の第１〜第６根太１１〜１６に対して、共振周波数が異なる２種類の第１及び第２ダイナミックダンパＤ１、Ｄ２が抱き合わされた状態で所定箇所に設置されているものである。なお、本実施形態の床構造においては、床支持部材上に、所定の大きさの長方形板状に規格形成された複数枚の軽量気泡コンクリート（以下、「ＡＬＣ」という。）製の床パネル（図示せず）が配設されている。
【００１７】
床パネルを支持する床支持部材は、Ｃ型鋼により２Ｐ×４Ｐ（Ｐは長方形に形成された１枚のＡＬＣ製床パネルの幅方向の長さ単位）の大きさの長方形に組まれた二組の梁１ａ〜１ｄ、２ａ〜２ｄを連結させて４Ｐ×４Ｐの大きさの正方形に組まれた梁１ａ〜１ｄ、２ａ〜２ｄと、梁１ａ〜１ｃ、２ａ、２ｃ、２ｄの内側に互いに距離を隔てて並列状に配置されたＣ型鋼よりなる６本の第１〜第６根太１１〜１６とから構成されている。なお、二組の梁１ａ〜１ｄ、２ａ〜２ｄは、図１の上方側で長方形に組まれた梁１ａ〜１ｄのうちの下方の長辺部（梁１ｄ）と、図１の下方側で長方形に組まれた梁２ａ〜２ｄのうちの上方の長辺部（梁２ｂ）とが平行に並んで接する状態に連結されている。
【００１８】
第１〜第６根太１１〜１６は、図１の左右方向において相対向する梁（１ａ、１ｃ）（２ａ、２ｃ）にそれぞれの両端が連結固定されて、図１において左右方向に延びる梁１ｂ、１ｄ、２ｂ、２ｄと平行な状態で互いに距離を隔てて並列状に配置されている。この場合、第１〜第３根太１１〜１３及び第４〜第６根太１４〜１６は、それぞれ図１の上下方向において両外側に位置する２本の梁１ｂ、２ｄの間の距離の１／８となる距離を隔てて等間隔に配設されている。なお、第２及び第５根太１２、１５は、それぞれ２本のＣ型鋼のウエブどうしを接合させて１本化することにより、強度が高められたものである。
【００１９】
これら第１〜第６根太１１〜１６に対して、第１ダイナミックダンパＤ１と第２ダイナミックダンパＤ２が抱き合わされた状態で次の１０箇所に設置されている。６本の第１〜第６根太１１〜１６の全てに対しては、それらの長手方向の中央位置にそれぞれ設置されている。そして、図１の上下方向において両外側に位置する２本の梁１ｂ、２ｄから、該２本の梁１ｂ、２ｄ間の距離の１／４となる距離を隔てた位置に最も近い位置に配置された２本の第２及び第５根太１２、１５には、それらの長手方向に沿って３箇所に設置されている。本実施形態の場合には、第２及び第５根太１２、１５の長手方向両端から、それらの長さの１／４となる距離を隔てた位置の２箇所にもそれぞれ設置されている。
【００２０】
上記のように設置される第１及び第２ダイナミックダンパＤ１、Ｄ２は、Ｃ型鋼のウエブに取付けられる一対の取付部材３１、３１と、両取付部材３１、３１の間に配置される柱状のマス部材３２と、ばねとして機能するゴム弾性体３３ａとマス部材３２の端部を保持するホルダ３３ｂとを有し両取付部材３１、３１に対してマス部材３２の両端を弾性支持する一対の弾性支持部材３３、３３と、マス部材３２の落下を防止する落下防止部材３４と、からなるものが採用されている。なお、第１ダイナミックダンパＤ１は、マス部材３２の質量（７．５ｋｇ）とゴム弾性体３３ａのばね定数とに基づいて共振周波数が５０Ｈｚにチューニングされたものであり、第２ダイナミックダンパＤ２は、同様にして共振周波数が６０Ｈｚにチューニングされたものである。
【００２１】
これら共振周波数が異なる２個一組の第１及び第２ダイナミックダンパＤ１、Ｄ２は、図２〜図５に示すように、取付ボルト３５及びナット３６で取付部材３１、３１をＣ型鋼（第１〜第６根太１１〜１６）のウエブに固定することにより、Ｃ型鋼のウエブの両側面に背向するように抱き合わされた状態に取付けられている。なお、本実施形態の場合には、図３〜図５に示すように、第１及び第２ダイナミックダンパＤ１、Ｄ２がＣ型鋼のウエブの両側で対向するように取付けられているが、図６（図４と対応）及び図７（図５と対応）に示すように、Ｃ型鋼のウエブの片側に二つの第１及び第２ダイナミックダンパＤ１、Ｄ２を並列状に配置して抱き合わせた状態に設置するようにしてもよい。このようにすれば設置スペースの効率を向上させることが可能である。
【００２２】
なお、本実施形態の床構造において、床支持部材上に配設された床パネル全体を例えば５０Ｈｚで加振させた時の振動モードを、有限要素法による解析（ＦＥＭ解析）により調べたところ、図１に示すような結果が得られた。即ち、図１の下側には、第１〜第６根太１１〜１６の並び方向に沿った方向に見たときの振動モードが模式的に示されている。また、図１の左側には、第１〜第６根太１１〜１６の長手方向に沿った方向に見たときの振動モードが模式的に示されている。
【００２３】
図１の下側に示された振動モードの場合には、中央の１箇所に腹が出現しており、その腹の位置は、第１〜第６根太１１〜１６の長手方向の中央位置に一列状に設置された第１及び第２ダイナミックダンパＤ１、Ｄ２の列と一致している。また、図１の左側に示された振動モードの場合には、中間の３箇所（第２根太１２、梁１ｄ、２ｂ及び第５根太１５の位置）に腹が出現しており、両側の２箇所の腹の位置は、第２及び第５根太１２、１５にそれらの長手方向に沿ってそれぞれ３箇所ずつ二列状に設置された第１及び第２ダイナミックダンパＤ１、Ｄ２の列と一致している。よって、第１及び第２ダイナミックダンパＤ１、Ｄ２は、両振動モードの腹の位置に対応して設置されている。
【００２４】
以上のように、本実施形態の床構造によれば、第１及び第２ダイナミックダンパＤ１、Ｄ２が、第１〜第６根太１１〜１６の長手方向の中央位置に設置されているとともに、第１〜第６根太１１〜１６の並び方向において両外側に配置された２本の梁１ｂ、２ｄから該２本の梁１ｂ、２ｄ間の距離の１／４となる距離を隔てた位置に最も近い位置に配置された２本の第２及び第５根太１２、１５には、それらの長手方向に沿ってそれぞれ３箇所に設置されているため、重量床衝撃音をより効果的に低減することができる。具体的には、Δ５ｄＢ以上の良好な低減効果を達成できることが後述の試験により確認された。
【００２５】
特に、本実施形態の床構造では、ダイナミックダンパの１箇所の設置箇所に、共振周波数が５０Ｈｚにチューニングされた第１ダイナミックダンパＤ１と共振周波数が６０Ｈｚにチューニングされた第２ダイナミックダンパＤ２が抱き合わされた状態で設置されているため、同じ共振周波数（５０Ｈｚ又は６０Ｈｚ）にチューニングされた１種類のダイナミックダンパを同一箇所に同数設置した場合に比べて、重量床衝撃音をより効果的に低減することができる。この点についても、後述の試験により確認されているが、同じ共振周波数（５０Ｈｚ又は６０Ｈｚ）にチューニングされた１種類のダイナミックダンパを採用した場合でも、Δ５ｄＢ以上の低減効果を達成することが充分に可能である。
【００２６】
なお、本実施形態の床構造においては、床の中央を横切るように配置されている梁１ｄ、２ｂには、構造上、ダイナミックダンパの設置が困難であるため設置されていないが、前記の有限要素法による解析（ＦＥＭ解析）の結果から、梁１ｄ、２ｂの位置にも振動モードの腹が出現するため、これら梁１ｄ、２ｂに対してダイナミックダンパの設置が可能であれば、設置する方が好ましい。
【００２７】
〔試験〕
本発明の床構造について、重量床衝撃音の優れた低減効果が得られることを確認するため、ＪＩＳ・Ａ１４１８−２「建築物の床衝撃音遮断性能の測定方法・第２部：標準重量衝撃源による方法」に基づき、オクターブバンド中心周波数６３ＨｚでのＬ値（床衝撃音レベル値）を測定して比較する試験を行った。この試験では、上記実施形態１の床構造を実施例１とし、実施例２として、共振周波数が５０Ｈｚの第１ダイナミックダンパＤ１を２セット一組として１０箇所に設置したこと以外は実施例１と同じ床構造を準備し、実施例３として、共振周波数が６０Ｈｚの第２ダイナミックダンパＤ２を２セット一組として１０箇所に設置したこと以外は実施例１と同じ床構造を準備した。
【００２８】
また、比較例１として、抱き合わせた状態で設置される第１及び第２ダイナミックダンパＤ１、Ｄ２が図８に示す箇所に設置されていること以外は実施例１と同じ床構造を準備した。この比較例１では、第２及び第５根太１２、１５には、長手方向の中央位置の１箇所に第１及び第２ダイナミックダンパＤ１、Ｄ２が設置されており、第１、第３、第４及び第６根太１１、１３、１４、１６には、それらの長手方向の両端からそれらの長さの１／４となる距離を隔てた位置の２箇所ずつに第１及び第２ダイナミックダンパＤ１、Ｄ２が設置されている。
【００２９】
上記の実施例１〜３及び比較例１の床構造は、床の下に下階の天井が配設されていない「天井なし」の構造のものである。これら実施例１〜３及び比較例１について、オクターブバンド中心周波数６３ＨｚでのＬ値を測定したところ、表１に示す結果が得られた。なお、表１に示すように、第１及び第２ダイナミックダンパＤ１、Ｄ２が設置されていないベースのＬ値は、７７．８ｄＢであった。
【００３０】
【表１】
2007177569.tif 000003
【００３１】
表１から明らかなように、比較例１の場合には、Ｌ値が７３．０ｄＢであり、ベースに対する低減効果がΔ４．８ｄＢ（Δ５ｄＢ以下）であることからそれほど良好とはいえない。これに対して、実施例１の場合には、Ｌ値が６９．１ｄＢであり、Δ８．７ｄＢの大幅な低減効果が得られた。この結果から、実施例１の場合には、比較例１に対して、第１及び第２ダイナミックダンパＤ１、Ｄ２の設置箇所が異なるのみで、低減効果が大幅に上昇していることが解る。
【００３２】
また、実施例２の場合には、Ｌ値が７０．９ｄＢで、低減効果がΔ６．９ｄＢであり、実施例３の場合には、Ｌ値が７０．２ｄＢで、低減効果がΔ７．６ｄＢであった。この結果から、実施例２、３のように、実施例１に対して、共振周波数が同じ１種類のダイナミックダンパを採用した点で異なる場合でも、ダイナミックダンパが実施例１と同じ箇所に設置されていることにより、Δ６．９ｄＢ以上の充分な低減効果が得られることが解る。また、逆にいえば、実施例１のように、共振周波数が異なる２種類の第１及び第２ダイナミックダンパＤ１、Ｄ２を抱き合わせた状態で１箇所に設置することによって、より良好な低減効果が得られることが解る。
【００３３】
なお、上記試験でのＬ値の測定結果は、「天井なし」の床構造におけるものであるが、実在する住宅のように、床の下に下階の天井が配設されている「天井有り」の床構造においては、「天井なし」の床構造でΔ６ｄＢ以上の低減効果があれば、Δ５ｄＢ以上の低減効果を満足することができるため、実施例１〜３の何れの場合にもΔ５ｄＢ以上の低減効果が得られると考えられる。一方、比較例１の場合には、「天井なし」の床構造において低減効果がΔ４．８ｄＢであるため、「天井有り」の床構造における低減効果は、４ｄＢ以下になると考えられる。なお、「天井なし」の床構造に対して「天井有り」の床構造にすると、減衰要素が増加するため、Ｌ値は下がる。
【００３４】
〔実施形態２〕
図９は本実施形態に係る床構造において上階の床を下階側から見たときのダイナミックダンパの配置状態を模式的に示す説明図である。
【００３５】
本実施形態の床構造は、図９に示すように、床パネルを支持する床支持部材が、２Ｐ×４Ｐの大きさに組まれた梁４ａ〜４ｄと１Ｐ×４Ｐの大きさに組まれた梁５ａ〜５ｄとを連結させて３Ｐ×４Ｐの大きさの長方形に組まれたＣ型鋼よりなる梁４ａ〜４ｄ、５ａ〜５ｄと、梁４ａ〜４ｃ、５ａ、５ｃ、５ｄの内側に互いに距離を隔てて並列状に配置されたＣ型鋼よりなる４本の第１〜第４根太４１〜４４とから構成されている点で、上記実施形態１と異なるものである。なお、本実施形態では、第２根太４２のみが２本のＣ型鋼のウエブどうしを接合させて１本化されている。
【００３６】
本実施形態の場合には、第１〜第４根太４１〜４４に対して、実施形態１と同様に構成された第１ダイナミックダンパＤ１と第２ダイナミックダンパＤ２が抱き合わされた状態で次の８箇所に設置されている。４本の第１〜第４根太４１〜４４の全てに対しては、それらの長手方向の中央位置にそれぞれ設置されている。そして、図９の上下方向において両外側に位置する２本の梁４ｂ、５ｄから、該２本の梁４ｂ、５ｄ間の距離の１／４となる距離を隔てた位置に最も近い位置に配置された２本の第２及び第４根太４２、４４には、それらの長手方向に沿って３箇所に設置されている。本実施形態の場合には、第２及び第４根太４２、４４の長手方向両端から、それらの長さの１／４となる距離を隔てた位置の２箇所にもそれぞれ設置されている。
【００３７】
なお、梁４ｂから、２本の梁４ｂ、５ｄ間の距離の１／４となる距離を隔てた位置（特定位置）に最も近い位置に配置された根太として第２根太４２が選択されているが、第１根太４１も特定位置から略等距離隔てているので、第２根太４２に代えて第１根太４１に或いはその両方に、第１及び第２ダイナミックダンパＤ１、Ｄ２を複数箇所に設置するようにしてもよい。
【００３８】
以上のように、本実施形態の床構造の場合にも、第１及び第２ダイナミックダンパＤ１、Ｄ２が、第１〜第４根太４１〜４４の長手方向の中央位置に設置され、第１〜第４根太４１〜４４の並び方向において両外側に配置された２本の梁４ｂ、５ｄから該２本の梁４ｂ、５ｄ間の距離の１／４となる距離を隔てた位置に最も近い位置に配置された２本の第２及び第４根太４２、４４には、それらの長手方向に沿ってそれぞれ３箇所に設置されているため、重量床衝撃音をより効果的に低減することができ、実施形態１の場合と同様の作用及び効果を奏する。
【図面の簡単な説明】
【００３９】
【図１】本発明の実施形態１に係る床構造において上階の床を下階側から見たときのダイナミックダンパの設置箇所を模式的に示す説明図である。
【図２】本発明の実施形態１に係る床構造において各根太に設置されたダイナミックダンパの正面図である。
【図３】本発明の実施形態１に係る床構造において第２及び第５根太に設置されたダイナミックダンパの平面図である。
【図４】本発明の実施形態１に係る床構造において第１、第３、第４及び第５根太に設置されたダイナミックダンパの側面図である。
【図５】本発明の実施形態１に係る床構造において第２及び第５根太に設置されたダイナミックダンパの側面図である。
【図６】本発明の実施形態１に係る床構造において第１、第３、第４及び第５根太に設置されるダイナミックダンパの設置変更例を示す側面図である。
【図７】本発明の実施形態１に係る床構造において第２及び第５根太に設置されるダイナミックダンパの設置変更例を示す側面図である。
【図８】試験における比較例１のダイナミックダンパの設置箇所を模式的に示す説明図である。
【図９】本発明の実施形態２に係る床構造において上階の床を下階側から見たときのダイナミックダンパの設置箇所を模式的に示す説明図である。
【符号の説明】
【００４０】
１ａ〜１ｄ、２ａ〜２ｄ、４ａ〜４ｄ、５ａ〜５ｄ…梁、    １１〜１６…第１〜第６根太、    ４１〜４４…第１〜第４根太、    Ｄ１…第１ダイナミックダンパ、    Ｄ２…第２ダイナミックダンパ、    ３１…取付部材、    ３２…マス部材、    ３３…弾性支持部材、    ３３ａ…ゴム弾性体、    ３３ｂ…ホルダ、    ３４…落下防止部材、  ３５…取付ボルト、    ３６…ナット。
【図１】
2007177569.tif 000004
【図２】
2007177569.tif 000005
【図３】
2007177569.tif 000006
【図４】
2007177569.tif 000007
【図５】
2007177569.tif 000008
【図６】
2007177569.tif 000009
【図７】
2007177569.tif 000010
【図８】
2007177569.tif 000011
【図９】
2007177569.tif 000012